(57)【特許請求の範囲】
【請求項１】
正面に発熱体（ａ）を装着する背面板（２）の左右両端を正面側に筒状に折り曲げて上下方向の放熱用の筒状部（３）を形成するとともに、さらに筒状部（３）の周壁の端部を背面側が背面板（２）の正面側に沿って接触するように折り返す折り返し部（４）を形成し、上記筒状部（３）の周壁に通風用のスリット（１２ａ）を形成してなる電装用放熱器。
【請求項２】
折り返し部（４）と背面板（２）とを一体的に固着してなる請求項１の電装用放熱器。
【請求項３】
折り返し部（４）の折り返し端（６）を背面板（２）の正面側に対して起立せしめて放熱用の起立板とした請求項１又は２の電装用放熱器。
【請求項４】
正面に発熱体（ａ）を装着する背面板（２）の左右両端を正面側に筒状に折り曲げて上下方向の放熱用の筒状部（３）を形成するとともに、さらに筒状部（３）の周壁の端部を背面板（２）の正面側に沿う方向に折り返して左右両側より押圧端（２６）を形成し、該押圧端（２６）と背面板（２）との間に発熱体（ａ）を収容し押圧して挾持する取付スペース（９）を形成し、上記左右の押圧端（２６）を正面側に膨出せしめて取付スペース（１９）内で発熱体（ａ）を正面側及び左右側面側より抱持するように形成し、上記筒状部（３）の周壁に通風用のスリット（１２ａ）を形成した電装用放熱器。
【請求項５】
押圧端（２６）に発熱体（ａ）の正面側の左右のコーナーを挿入係止せしめて発熱体（ａ）の上下動及び左右動を規制する係止孔（２７）を形成した請求項４の電装用放熱器。
【発明の詳細な説明】
【０００１】
【発明の属する技術分野】
この発明は回路基板上の半導体部品等の放熱を行うために該基板上等に設置される放熱器に関する。
【０００２】
【従来の技術】
従来上記のような放熱器は、図５（Ａ）に示すようにアルミ製の背面板５１に対して、蛇腹状に折り曲げ形成した筒状体５２を固着し、その下方に発熱体ａを固着したものが知られており、その下部両側には回路基板に差し込み固定するための脚ピン５５を備えたブラケット状の脚座５４が取り付けられている。
【０００３】
そして筒状体５２を背面板５１に取り付けるには、背面板５１の表面上方に左右方向のレール状の突条５３を突設するとともに、筒状体５２の基端部には上記突条５３と嵌合し合うかしめ用スリット５０が形成され、突条５３の突出した表面を押圧変形（かしめ）することにより筒状体５２を背面板５１と固定していた。
【０００４】
また脚座５４は、背面板５１の裏面から押圧して表面側に突出形成させたかしめピン（リベット）５６に対して、Ｌ字形断面の脚座５４の一辺に穿設されたピン孔５７を嵌合し、該ピン５６の突出端をかしめて背面板５１側に一体固定するものである。５８は脚座５４の位置決めピンである。
【０００５】
図５（Ｂ）は脚座５４が背面板５１側に折り曲げ形成され、該脚座５４に対して脚板５５ａ付の脚ピン５５が共かしめにより一体固着されたものを示している。
【０００６】
【発明が解決しようとする課題】
上記の構造による従来の放熱器は、下部の発熱体ａの熱を主に筒状体５２内の空気上昇によって放熱するものであるが、背面板５１と筒状体５２が別形成である点、両者の固定にかしめ作業等を伴う点及び背面板５１にかしめ部を必要とし板厚も厚くする必要がある等、成形コストも高くなる等の欠点がある。
その他全体の体積も大きくなるために放熱特性も悪い等の問題がある。
【０００７】
【課題を解決するための手段】
上記問題点を解決するための本発明の放熱器は、第１に正面に発熱体ａを装着する背面板２の左右両端を正面側に筒状に折り曲げて上下方向の放熱用の筒状部３を形成するとともに、さらに筒状部３の周壁の端部を背面側が背面板２の正面側に沿って接触するように折り返す折り返し部４を形成し、上記筒状部３の周壁に通風用のスリット１２ａを形成してなることを特徴としている。
【０００８】
第２に折り返し部４と背面板２とを一体的に固着してなることを特徴としている。
【０００９】
第３に折り返し部４の折り返し端６を背面板２の正面側に対して起立せしめて放熱用の起立板としたことを特徴としている。
【００１０】
第４に正面に発熱体ａを装着する背面板２の左右両端を正面側に筒状に折り曲げて上下方向の放熱用の筒状部３を形成するとともに、さらに筒状部３の周壁の端部を背面板２の正面側に沿う方向に折り返して左右両側より押圧端２６を形成し、該押圧端２６と背面板２との間に発熱体ａを収容し押圧して挾持する取付スペース９を形成し、上記左右の押圧端２６を正面側に膨出せしめて取付スペース１９内で発熱体ａを正面側及び左右側面側より抱持するように形成し、上記筒状部３の周壁に通風用のスリット１２ａを形成したことを特徴としている。
【００１１】
第５に押圧端２６に発熱体ａの正面側の左右のコーナーを挿入係止せしめて発熱体ａの上下動及び左右動を規制する係止孔２７を形成したことを特徴としている。
【００１２】
【発明の実施の形態】
図１〜４は放熱器の１実施例を示し、この例では放熱器１全体が１枚の薄肉（例えば１ｍｍ）のアルミ板をプレス成形したものであり、背面板２の左右両側端は共に正面側に折り曲げて上下方向の筒状部３を形成している。そして筒状部３の周壁端側は背面板２の正面側に沿った谷状の折り返し部４を形成し、該折り返し部４の背面側は背面板２の表面に接するように沿っており、さらに左右の折り返し端６は折り返し部４の内側において正面側に起立し、両者間に一定の間隔を介して上下方向の溝状部を形成している。
【００１３】
背面板２における筒状部３下方左右両端には、筒状部３とは切り離された側板７がそれぞれ正面に向かって折り曲げられて起立しており、さらにその下方の背面板２の左右端には正面視Ｌ字形断面の脚座８が一体的に折り曲げ形成され、放熱器１の両側方向に突出するピン座８ａが形成されている。
【００１４】
上記筒状部３及び折り返し端６の下方には、両側より側板７及び脚座８に囲まれた発熱体ａ等の取付スペース９が形成されており、ピン座８ａには上下方向に貫通されて下面側に延びるピン１１が回路基板差し込み用の脚として挿通固定されている。
【００１５】
前記筒状部３の周壁及び折り返し端６には上下高さを約３等分する位置にスリット１２ａ，１２ｂが形成され、該スリットにより放熱特性が良くなるように構成されている。発熱体ａは背面板２に穿設されたビス孔１３にビス固定しても良いが、図１に示すように左右の側板７，７において内側より形成された半抜部（凹部）１６に両端を挿入係止した板ばね１４によって弾力的に押圧固定することもできる。
【００１６】
前記脚ピン１１をピン座８ａに挿通固定するには、図３（Ａ）〜（Ｃ）に示すようにピン座８ａに穿設されたピン孔２２にピン１１を嵌合し、該ピン１１の上下（表裏）突出端より、筒状のパンチ（ポンチ）１０ａ，１０ｂを外挿するとともに、該パンチ１０ａ，１０ｂをプレス等によって突き合わせ方向に押圧する。
【００１７】
その結果ピン座８ａのピン１１の表裏外周位置にはパンチ１０ａ，１０ｂの先端面形状に対応したリング状の凹凸が形成され、ピン回りの板肉が圧縮されてピン１１を外周より押圧固定するかしめ部１７が形成される。かしめ加工を１個のパンチを用いて行い、ピン座８ａの片面にだけかしめ部１７を形成することも可能であるが、図示の方法による方がピンの固定が安定する。
【００１８】
また筒状部３の内側の折り返し部４の背面側は背面板２の正面に沿って接触するだけでなく、この例では固着部１８において一体的に固着されている。固着部１８は図４に示すように凹部２３ａを有する受型２３上に背面板２と折り返し部４とを受板及び当板として載置し、上記凹部２３ａの上から先端に押抜部２４ａを有するパンチ（ポンチ）２４を下降させて両板を押圧することによって共かしめ形成される。
【００１９】
この方法では受板（２）と当板（４）とがパンチ２４と受型２３の凹凸により、左右（又は上下）両側だけが切り抜かれて重なった状態で受部２ａと嵌入部４ａが形成されて半抜き状態となり、上記嵌入部４ａが受板（２）側の打抜孔２ｂに押圧嵌合して両者が一体的に共かしめにより固着されるものである。
【００２０】
その他上記放熱器１は図２仮想線で示すように他の基板２１面にその背面側を取り付け固定することも可能で、この場合基板２１表面に図５（Ａ）のかしめピン５６に相当するものを突設し、これを背面板２のピン孔に嵌合してその突出端をかしめ固定することにより固着部１９を形成して行うことが可能である。このケースでは背面板２の背面に突出物を形成しない事が望ましい。
【００２１】
図６は放熱器１の他の例を示し、この例では背面板２の左右両側にスリット１２ａ付の筒状部３を形成した点は前記の例と共通するが、以下の点において相違がある。
【００２２】
即ち、この例では筒状部３の周壁端である折り返し部４が背面板２の正面に近接及び固定されず、Ｃ型の筒状部を形成し、折り返し部４の内側の端部はさらに正面側に膨出すように折り曲げ形成されて押圧部２６となっている。
【００２３】
そして押圧部２６と背面板２との間には、平面視台形状又は円弧状に折り曲げられた周壁をもつ発熱体の取付スペース９が形成され、該取付スペース９内に下方より発熱体ａが挿入され、弾力的に且つ抱持状に挾持される構造である。また左右の押圧部２６には左右相対応して長方形の係止孔２７が窓状に形成され、この係止孔２７に直方体形状の発熱体ａの正面側の左右コーナーが係止され、上下動及び左右動共に規制される構造となっている。
【００２４】
その他前述の図１〜４で用いた符号と同一の符号で示す部分は、前述した例のものと同一の機能を備えた部分であり、説明を省略する。
【００２５】
【発明の効果】
以上のように構成される本発明によれば、放熱用筒状部を有する放熱器の背面板と筒状部を金属板で一体形成できるので製造工程も簡単で低コストとなるほか、筒状部と折り返し部又は折り返し端によって発熱体の放熱特性が向上する。
【００２６】
特に折り返し部を背面板に接触させた部分では、折り返し部から背面板への放熱性が向上し、折り返し端を正面側に起立させたものでは放熱面積が増大することによって放熱特性が向上する。
【００２７】
また折り返し端と背面板間に発熱体を抱持するものでは、発熱体の保持が簡単で且つ安定するほか、折り返し端による放熱も良くなり、発熱体係止孔を設けたものでは両性能共にさらに向上する効果がある。
【図面の簡単な説明】
【図１】本発明に係る放熱器の全体斜視図である。
【図２】（Ａ），（Ｂ）は放熱器の正面図及び側面図である。
【図３】（Ａ）〜（Ｃ）はピンの取付構造と方法を示す拡大断面図である。
【図４】（Ａ），（Ｂ）は金属板の共かしめの構造を示す側面及び正面の拡大断面図である。
【図５】（Ａ），（Ｂ）は従来の放熱器と脚ピン構造を示す斜視図である。
【図６】（Ａ）〜（Ｃ）は本発明の異なる実施例の放熱器を示す斜視図，平断面図及び縦断面図である。
【符号の説明】
１      放熱器
２      背面板
３      筒状部
４      折り返し部
６      折り返し端
１１    ピン
１７    かしめ部
１９    取付スペース
２２    ピン孔
２６    押圧端
２７    係止孔
ａ      発熱体
【図１】
0003771311.tif 000002
【図２】
0003771311.tif 000003
【図３】
0003771311.tif 000004
【図４】
0003771311.tif 000005
【図５】
0003771311.tif 000006
【図６】
0003771311.tif 000007